(57)【要約】【課題】  スチール製家具の天板を、その外皮から内部構成部材に至るまですべてスチール材で形成すると共に、内部補強部材を配置した上で紙製ハニカムコア材を装填する構造や合成樹脂材を発泡充填する構造を採らなくても、スチール音の発生が抑制できるのみならず、従来の公知天板に比べ著しく厚さを小さく形成しても、従来公知の天板に比べより軽量かつ高強度に形成できる天板を提供すること。【解決手段】  スチール板により内部を中空にして外皮１が形成された天板において、前記中空の内部に、当該外皮１が形成する天板厚さｔよりも大きな開口径を有するスチール板製のハニカムコア状のコア材３を取付けたこと。【選択図】図１
2005137714.tif 000002
【特許請求の範囲】
【請求項１】
スチール板により内部を中空にして外皮が形成された天板において、前記中空の内部に、当該外皮が形成する天板厚さよりも大きな開口径を有するスチール板製のハニカムコア状のコア材を取付けたことを特徴とする家具用天板。
【請求項２】
外皮内面と前記コア材とは接着剤により接着して外皮内部にコア材を固定した請求項１の家具用天板。
【請求項３】
外皮内部の少なくとも四隅に、天板を支持する脚体が取付けられる部位を、前記天板外皮とコア材以外の部材により形成して、脚取付部とする請求項１又は２の家具用天板。
【請求項４】
コア材は、その幅を天板厚さの内寸とほぼ同じに形成し、かつ、適宜長さに揃えた複数枚のスチール製帯材を、長さ方向で揃えて積層すると共に、各帯材を一枚ごと接着ポイントを交互にずらして接合し、このようにして接合した積層帯材を、その非接着部において積層方向に展張成形することにより、ハニカム状乃至亀甲模様状などをなす連続したセル部を有するコア材に形成した請求項１〜３のいずれかの家具用天板。
【発明の詳細な説明】
【技術分野】
【０００１】
本発明は、デスク，カウンター，テーブルのように、特に大きめの垂直荷重がかかる天板として好適な家具用天板に関する。
【背景技術】
【０００２】
従来より、スチール製家具の天板において、当該天板の外皮をスチール材により内部中空に形成したものは、垂直荷重に対する強度確保とスチール音の発生防止などの対策のため、内部に補強のリブ材を配置したり、紙製のハニカムコア材を配置したり、内部に発泡体を注入して発泡させるなどの手法が採られている。
【０００３】
一方、昨今では用済み後のデスク等のスチール製家具の廃棄処分も、環境保全の趣旨で、廃棄の際に当該スチール家具の構成部材を材質ごとに分別し、再利用できるものはリサイクルに回す措置が採られるようになった。
【０００４】
上記のリサイクルを目的とした分別では、デスクやカウンターのような大型のスチール家具になるほど分別作業に手間取り、不用スチール家具の廃棄における大きな問題となっている。特に、中空の天板外皮をスチール板で形成し、その内部にスチール材とは異なる材質のコア材や発泡体を充填したものでは、前記問題が顕著である。
【０００５】
上記の問題点などに鑑み、家具用天板の構成部材のすべての材質を単一材料で形成する天板が提案されている（特許文献１，同２参照）。しかし、提案されている天板は、オールアルミ材或はオールプラスチック材で形成されているため、コスト高になったり、大形天板には強度不足を生じて不向きであったり、或は、強度を高めようとすると重量が嵩んで実用性に欠けるなど、新たな問題点が生じている。
【特許文献１】特開２００３−１７４９３５号公報
【特許文献２】特許第３４４３７５８号公報
【発明の開示】
【発明が解決しようとする課題】
【０００６】
本発明は上記のような問題点に鑑み、スチール製家具の天板を、その外皮から内部構成部材に至るまですべてスチール材で形成すると共に、内部補強部材を配置した上で紙製ハニカムコア材を装填する構造や合成樹脂材を発泡充填する構造を採らなくても、スチール音の発生が抑制できるのみならず、従来の公知天板に比べ著しく厚さを小さく形成しても、従来公知の天板に比べより軽量かつ高強度に形成できる天板を提供することを課題とする。
【課題を解決するための手段】
【０００７】
上記課題を解決することを目的としてなされた本発明天板の構成は、スチール板により内部を中空にして外皮が形成された天板において、前記中空の内部に、当該外皮が形成する天板厚さよりも大きな開口径を有するスチール板製のハニカムコア状のコア材を取付けたことを特徴とするものである。
【０００８】
本発明天板では、薄くて細幅のスチール製帯材又はスチール製テープ材（以下、これらを単に「帯材」ともいう）をハニカムコア状に形成したコア材を天板の上面と下面をなすスチール製外皮により被覆するとき、当該外皮の内面と前記コア材とを接着剤により接着して外皮の内部にコア材を固定するようにした。
【０００９】
本発明天板では、天板外皮内の少なくとも四隅に、天板を支持する脚体が取付けられる部位を、前記天板外皮とコア材以外の部材により形成して、脚取付部に形成する。脚取付部を有する本発明天板は、デスク又はテーブル、或は、カウンター用の天板として有用である。脚取付部を設けない本発明天板は、キャビネットや箱状をなすカウンターなどの天板として有用である。
【００１０】
本発明天板に用いるハニカムコア材は、その幅を天板厚さの内寸とほぼ同じに形成し、かつ、適宜長さに揃えた複数枚のスチール製帯材を、長さ方向で揃えて積層すると共に、各帯材を一枚ごと接着ポイントを交互にずらして接合し、このようにして接合した積層帯材を、その非接着部において積層方向に展張成形することにより、ハニカム状乃至亀甲模様状などをなす連続したセル部を有するコア材に形成している。
【発明の効果】
【００１１】
本発明天板は、薄いスチール製帯材により形成したハニカム状などをなす連続セル部を有するコア材を、天板外皮となるスチール製の上面材と下面材の間に接着剤により固定して設けることにより、構成部材がオールスチール製の天板を形成するようにしたので、リサイクルに際しては、その天板を分別のため分解などすることなく、そのままの姿でリサイクル処理に供することができる。
【００１２】
また、本発明天板に用いるスチール製のハニカム状コア材は、そのセル部の開口径を、天板の外寸厚さの少なくとも２倍以上、好ましは４倍〜20倍程度の大きな口径に形成したものを用いるので、これが天板全体の重量軽減に大きく寄与すると共に、天板の厚さ（外寸）を著しく抑制した薄い天板を形成することができ、従って、大形天板（例えば長辺が2400mm以上）であっても十分な強度を発揮し、外寸の厚さが小さいので、外見上スマートに見える構成部材がオールスチール製の大形天板を提供できる。
【発明を実施するための最良の形態】
【００１３】
次に、本発明天板の実施形態の一例について図を参照して説明する、図１は本発明天板を裏面から見た要部の斜視図、図２は本発明天板に用いるスチール製帯材又はテープ材により形成するコア材の製造形態を説明するために模式的に示した工程図である。
【００１４】
図１において、１は長辺側の両側を断面略Ｕ字状に形成した、一例として0.6〜0.8mm厚程度のスチール板により形成した天板外皮の上面板で、図１においては裏面（内部側）を上に向けて置かれている。２は該上面板１の裏面において、長さ方向両端の開口部を塞ぐように配置したスチール材によるエンド部材である。
【００１５】
本発明天板は、一例として次のようにして製造される。即ち、まず左右のエンド部材２，２により塞がれた左右両端部と天板の長さ方向（長辺側）に形成された断面が横向きの略Ｕ字状の縁部分1a，1bとに囲まれた上面板１の内部に、当該上面板１のＵ字状の縁部分1a，1bがなす天板厚さの内寸に見合う幅のスチール製帯材又はテープ材（以下、単に帯材ということもある）より形成されたハニカム状のコア材３を、当該上面板１の内部表面に塗布した接着剤（図示１に示さず）に接着させて取付け上面板１を形成する。
【００１６】
エンド部材２とコア材３を具備した上面板１の形成においては、コア材３を配置する前に、四隅に天板用脚の取付け座となる脚取付金具４を配置する。従って、上面板１の裏面において、脚取付金具４が配置された部分を避けてコア材３が配置されることになる。なお、本発明天板においては、脚取付金具４は必須構成ではない。例えば、本発明天板がカウンターやテーブルなどの家具のフレーム（図示せず）に載置結合される場合などには、そのための載置結合部が外皮の内部又は外面に設けられることがあるからである。
【００１７】
次に、前記上面板１の裏面においてコア材３と脚取付金具４が露出している全域を覆うことができる形状に整えられた下面板（図１に表れず、一例として上面板１と同等乃至少し薄い肉厚のスチール板）を、その裏面に接着剤を塗布して前記上面板１のコア材３と金具４を覆うように被せ、当該下面板を前記コア材３に接着させると共に、上面板１の縁部分1a，1bと下面板との重合する部分を接合して、内部にスチール製のハニカム状コア材３を取付けた本発明スチール製天板の素体を形成する。
【００１８】
本発明天板は、上記構成の天板素体において、天板外皮のうち少なくとも上面板１の外面に塗装や被覆などの仕上げ処理を施してデスク等の天板に形成される。上面板１，エンド部材２，下面板の塗装などの表面処理は、天板素体に組上げる前に行なうこともある。
【００１９】
前記本発明天板に用いるハニカム状を一例とするコア材３の製造について図２により説明する。
本発明天板に用いるコア材３は、図２の(i)に示すように薄いスチール板から細幅に裁断した帯材又はテープ材31を成形する。この帯材又はテープ材31は、一例として0.1~0.2mm程度の厚さの薄鋼板を、図１に示した天板外皮の内寸厚さｔが15〜20mmであればそれと同じ15mm〜20mm程度の細幅にカットしたものであるが、本発明では帯材又はテープ材31の幅はこの数値に限られるものではない。天板外皮の内寸厚さｔに合せた幅に形成されるからである。また、帯材又はテープ材31の長さは、コア材３の各セルの径φとコア材３を使用する天板の長さとの関係から規定することができるので、前記帯材又はテープ材31を所要の長さに整える。この成形は、切断機（カッター）やスリッターにより行う。
【００２０】
帯材又はテープ材31の上記成形工程が終ると、各帯材又はテープ材31を、次の工程へ送り込んで、一枚ごと一定間隔で接着剤32を塗布する。この接着剤32の塗布は、コア材３のセルの平面形状とその大きさによって塗布位置が決まる。例えばセルの形が六角形であれば、１つのセルの１／２を形成する台形の３辺の長さを合計した長さ単位で接着剤32が塗布される（図２(ii)参照）。そして塗布位置は、各帯材又はテープ材31の１枚ごと交互に位相をズラして塗布する。塗布位置の位相を交互にズラすのは、ハニカム状のコア材３はすべての六角形のセルが互にずれて隙間なく配置されるように形成されるからである（図１，図２の(iv)参照）。本発明において各セルの形状も上記例の六角形に限られるものではなく、他の任意の平面形状のものであってもよい。
【００２１】
上記のようにして、一枚ごとに塗布位置をズラして接着剤32を塗布した複数本の帯材又はテープ材31は、図２の(iii)に例示するように、長さ方向の端部を揃えた状態で積層し、この状態で定盤などの上に置いて上方から加圧力Ｐを加えるか、或は、積層体の上下から挟持圧力を加えて、各帯材又はテープ材31同士を夫々のポイントにおける接着剤32において接合する。帯材又はテープ材31の積層枚数は、このコア材３における各セルの径と当該コア材３が使用される天板の前後幅（奥行き）によって定まる。
【００２２】
上記のようにして積層状態でプレスし、塗布された各接着剤32の作用で所定ピッチで積層接合された帯材又はテープ材31は、図示しないが、前記積層接合状態のままで前後の両端部を上，下から強固に拘束保持すると共に、該拘束部の間に位置する最上面と最下面の帯材又はテープ材31に、上方と下方へ移動可能な押え治具を当てがい、この状態で各帯材又はテープ材31のすべての非接着部分に挿入できる上，下２本を一組とする成形棒（歯）を挿入し、各組の成形棒を上下に開くことにより各セルが概ね六角形状をなす本発明天板用のコア材３に成形される。この場合使用する２本一組の成形棒（歯）は、一例として合体した断面が略六角形のテーパ棒である。なお、図２(iii)，(iv)において、32a〜32eは、塗布した各接着剤の位置を示しており、積層状態時にストレートな帯材又はテープ材31の上に位置した各接着剤32a〜32eが、ハニカム状コアに成形されたとき、そのコアのどこに位置するかを説明するためのものである。
【００２３】
本発明天板に用いるコア材３は、一例として上記のような工程態様で製作することができるので、その製造装置も簡易な構造のものとすることができる。
【産業上の利用可能性】
【００２４】
本発明は以上の通りであって、スチール家具用の天板を、スチール板により内部を中空にして外皮が形成される天板において、前記中空の内部に、当該外皮が形成する天板厚さよりも大きな開口径を有するスチール板製のハニカムコア状のコア材を取付けたて形成したので、天板をすべての構成部材をオールスチール製にして形成でき、それ故に、用済み後の廃棄に際して分別のための分解することなく元の姿のまま処理できる。
【００２５】
また、上記天板に使用するコア材は、その幅を天板厚さの内寸とほぼ同じに形成し、かつ、適宜長さに揃えた複数枚のスチール製帯材を、長さ方向で揃えて積層すると共に、各帯材を一枚ごと接着ポイントを交互にずらして接合し、このようにして接合した積層帯材を非接着部において積層方向に展張成形することにより、ハニカム状乃至亀甲模様状などをなす連続したセル部を有するコア材に形成しているので、天板内部に占める重量割合が小さいにも拘らず、天板内部全域において、上，下の外皮を高い接合線密度で相互に結合することができ、これによって軽量かつ薄い天板に形成しても、重量的にも強度的にも従来品よりも優れた天板を提供できる。
【図面の簡単な説明】
【００２６】
【図１】本発明天板の要部の斜視図。
【図２】図２は本発明天板に用いるスチール製帯材又はテープ材により形成するコア材の製造を説明するための模式的に示した工程図。
【符号の説明】
【００２７】
１    スチール製上面板
２    スチール製エンド部材
３    スチール製コア材
31    スチール製帯材又はテープ材
32    接着剤
４    スチール製脚取付金具
【図１】
2005137714.tif 000003
【図２】
2005137714.tif 000004